(57)【要約】      （修正有）【課題】シャッタ羽根とＮＤフィルタとを共通の電磁駆動源で動作させ、ＮＤフィルタの開閉動作時にシャッタ羽根の開閉動作で開口部からの入射光量を途絶えさせない光量調整装置を提供する。【解決手段】開口部３ａにＮＤフィルタ４が進入した状態でカム溝３ｇに保持され、第３の位置でのアクチュエータ１への正方向通電により、カム軸７ａがカム面を第４の位置に移動して、ＮＤフィルタ４が回動し、第４の位置でアクチュエータ１を非通電とすることで、ばね８の付勢力により、カム軸７ａがカム面を第１の位置に移動し、ＮＤフィルタ４が開口部３ａから退避する方向に回動する。シャッタ羽根５，６は、アクチュエータ１への逆方向通電により、開口部３ａを閉じる方向に回動する。【選択図】図１
2012255991.tif 000002
【特許請求の範囲】
【請求項１】
通電制御により回転軸が正逆方向に回転駆動されるアクチュエータと、
露光用の開口部を有するシャッタ地板と、
前記シャッタ地板に回動動作が可能に支持され、前記回動動作により、前記開口部を開閉するシャッタ羽根と、
前記シャッタ地板に回動動作が可能に支持され、前記回動動作により、前記開口部に対して進退する光量調節部材と、
前記回転軸に基端が固定されると共に、先端に前記回転軸と平行な軸線を有する駆動軸が突設され、前記回転軸の回転に連動して回動することにより、前記駆動軸に係合する前記シャッタ羽根を前記開口部を開閉する方向に回動動作させるシャッタ羽根駆動部材と、
前記駆動軸がスライド可能に係合する係合部、及び前記光量調節部材にスライド可能に係合して、前記シャッタ地板に形成されたカム溝のカム面に対して光軸方向に当接するカム軸を有する光量調節部材駆動部材と、
前記光量調節部材駆動部材を、前記光量調節部材が前記開口部から退避する方向、及び前記カム軸が前記カム面に光軸方向に当接する方向に付勢する付勢手段と、を備え、
前記アクチュエータの正方向への通電により、前記光量調節部材に係合する前記カム軸が前記カム面を第１の位置から前記第１の位置と異なる第２の位置に移動して、前記光量調節部材が前記開口部に進入する方向に回動し、
前記第２の位置で前記アクチュエータを非通電とすることにより、前記付勢手段の付勢力により、前記カム軸が前記カム面を前記第２の位置から前記第２の位置と異なる第３の位置に移動して、前記開口部に前記光量調節部材が進入した状態で前記カム溝に保持され、
前記第３の位置での前記アクチュエータの正方向への通電により、前記カム軸がカム面を前記第３の位置から前記第３の位置と異なる第４の位置に移動して、前記光量調節部材が回動し、
前記第４の位置で前記アクチュエータを非通電とすることにより、前記付勢手段の付勢力により、前記カム軸が前記カム面を前記第４の位置から前記第１の位置に移動して、前記光量調節部材が前記開口部から退避する方向に回動し、
前記シャッタ羽根は、前記アクチュエータへの逆方向の通電により、前記開口部を閉じる方向に回動することを特徴とする光量調整装置。
【請求項２】
前記カム溝は、ハートカム溝であることを特徴とする請求項１に記載の光量調整装置。
【請求項３】
前記ハートカム溝は、光軸方向の高さが異なる３つの平面状のカム面と、最も低い平面状のカム面と最も高い平面状のカム面とを接続する斜面状のカム面と、を有することを特徴とする請求項２に記載の光量調整装置。
【請求項４】
前記付勢手段は、前記光量調節部材駆動部材及び前記シャッタ地板に掛止される引っ張りコイルばねであり、
前記引っ張りコイルばねは、前記光量調節部材駆動部材に対する掛止位置が前記シャッタ地板に対する掛止位置に比べて前記シャッタ地板から光軸方向に離れるように傾斜して配置されることを特徴とする請求項１乃至３のいずれか一項に記載の光量調整装置。
【発明の詳細な説明】
【技術分野】
【０００１】
本発明は、例えばデジタルカメラ等の撮像装置のレンズ鏡筒に搭載される光量調整装置に関する。
【背景技術】
【０００２】
デジタルカメラ等の撮像装置のレンズ鏡筒に搭載される光量調整装置では、シャッタ羽根および絞り羽根にそれぞれ独立の電磁駆動源を備えていたため、装置の高コスト化、大型化、重量化、および消費電力の増加等の問題があった。
【０００３】
そこで、シャッタ羽根と絞り羽根とを共通の電磁駆動源で動作させる光量調整装置として、例えば図１４に示すものが提案されている（特許文献１）。
【０００４】
この光量調整装置は、２極のマグネットを有する回転子１０４がコイルへの通電方向に対応して所定の角度だけ回転可能とされている。シャッタ羽根１１８，１１９は、回転子１０４の駆動ピン１０４ｂによってシャッタ地板１０１の開口部１０１ａを開閉する動作を行う。ばね１１７は、絞り羽根１２０に連結された絞り作動部材１１５をその係合部１１５ａが駆動ピン１０４ｂに接するように付勢し、駆動ピン１０４ｂをばね１１６との間に挟持する。
【０００５】
そして、回転子１０４は、固定子コイルに通電されていなくても、開口部１０１ａの全開状態、絞り羽根１２０の開口部１２０ａによる口径規制状態、および開口部１０１ａの閉じ状態でそれぞれ停止状態が維持される。
【０００６】
具体的には、開口部１０１ａの全開状態では、不図示の磁気的保持手段の保持力により、回転子１０４の停止状態が維持され、絞り羽根１２０の開口部１２０ａによる口径規制状態では、係合部１１５ａとばね１１６とにより、回転子１０４の停止状態が維持される。また、開口部１０１ａの閉じ状態では、上記磁気的保持手段の保持力により、回転子１０４の停止状態が維持される。
【先行技術文献】
【特許文献】
【０００７】
【特許文献１】特開２００１−１１７１３５号公報
【発明の概要】
【発明が解決しようとする課題】
【０００８】
しかし、上記特許文献１では、絞り羽根１２０の開閉動作のみを行いたい場合でも、シャッタ羽根１１８，１１９が開閉動作するため、開口部１０１ａからの入射光量が一瞬途絶えてしまう問題がある。
【０００９】
そこで、本発明は、シャッタ羽根と光量調節部材とを共通の電磁駆動源で動作させ、光量調節部材を開口部に対して進退させる動作時にシャッタ羽根の開閉動作で開口部からの入射光量を途絶えさせることのない光量調整装置を提供することを目的とする。
【課題を解決するための手段】
【００１０】
上記目的を達成するために、本発明の光量調整装置は、通電制御により回転軸が正逆方向に回転駆動されるアクチュエータと、露光用の開口部を有するシャッタ地板と、前記シャッタ地板に回動動作が可能に支持され、前記回動動作により、前記開口部を開閉するシャッタ羽根と、前記シャッタ地板に回動動作が可能に支持され、前記回動動作により、前記開口部に対して進退する光量調節部材と、前記回転軸に基端が固定されると共に、先端に前記回転軸と平行な軸線を有する駆動軸が突設され、前記回転軸の回転に連動して回動することにより、前記駆動軸に係合する前記シャッタ羽根を前記開口部を開閉する方向に回動動作させるシャッタ羽根駆動部材と、前記駆動軸がスライド可能に係合する係合部、及び前記光量調節部材にスライド可能に係合して、前記シャッタ地板に形成されたカム溝のカム面に対して光軸方向に当接するカム軸を有する光量調節部材駆動部材と、前記光量調節部材駆動部材を、前記光量調節部材が前記開口部から退避する方向、及び前記カム軸が前記カム面に光軸方向に当接する方向に付勢する付勢手段と、を備え、前記アクチュエータの正方向への通電により、前記光量調節部材に係合する前記カム軸が前記カム面を第１の位置から前記第１の位置と異なる第２の位置に移動して、前記光量調節部材が前記開口部に進入する方向に回動し、前記第２の位置で前記アクチュエータを非通電とすることにより、前記付勢手段の付勢力により、前記カム軸が前記カム面を前記第２の位置から前記第２の位置と異なる第３の位置に移動して、前記開口部に前記光量調節部材が進入した状態で前記カム溝に保持され、前記第３の位置での前記アクチュエータの正方向への通電により、前記カム軸がカム面を前記第３の位置から前記第３の位置と異なる第４の位置に移動して、前記光量調節部材が回動し、前記第４の位置で前記アクチュエータを非通電とすることにより、前記付勢手段の付勢力により、前記カム軸が前記カム面を前記第４の位置から前記第１の位置に移動して、前記光量調節部材が前記開口部から退避する方向に回動し、前記シャッタ羽根は、前記アクチュエータへの逆方向の通電により、前記開口部を閉じる方向に回動することを特徴とする。
【発明の効果】
【００１１】
本発明によれば、シャッタ羽根と光量調節部材とを共通の電磁駆動源で動作させ、光量調節部材を開口部に対して進退させる動作時にシャッタ羽根の開閉動作で開口部からの入射光量を途絶えさせることのない光量調整装置を提供することができる。
【図面の簡単な説明】
【００１２】
【図１】本発明の実施形態の一例である光量調整装置を軸方向からみた図である。
【図２】図１に示す光量調整装置の分解斜視図である。
【図３】図１に示す光量調整装置の側面図である。
【図４】ハートカム溝をシャッタ地板の軸方向からみた図である。
【図５】（ａ）はハートカム溝の直線展開図、（ｂ）はアクチュエータの駆動電圧のタイミングチャート図である。
【図６】ＮＤフィルタの開口部に対しての進退動作を説明するための図である。
【図７】ＮＤフィルタの開口部に対しての進退動作を説明するための図である。
【図８】ＮＤフィルタの開口部に対しての進退動作を説明するための図である。
【図９】ＮＤフィルタの開口部に対しての進退動作を説明するための図である。
【図１０】シャッタ羽根の開閉動作を説明するための図である。
【図１１】シャッタ羽根の開閉動作を説明するための図である。
【図１２】シャッタ羽根の開閉動作を説明するための図である。
【図１３】シャッタ羽根の開閉動作を説明するための図である。
【図１４】従来の光量調整装置を光軸方向から見た図である。
【発明を実施するための形態】
【００１３】
以下、本発明の実施形態の一例を図面を参照して説明する。
【００１４】
図１は本発明の実施形態の一例である光量調整装置を軸方向からみた図、図２は図１に示す光量調整装置の分解斜視図、図３は図１に示す光量調整装置の側面図である。
【００１５】
本実施形態の光量調整装置は、図１〜図３に示すように、電磁駆動源としてのアクチュエータ１、シャッタ地板３、ＮＤフィルタ４、ＮＤフィルタ駆動部材７、シャッタ羽根５，６、シャッタ羽根駆動部材２、及びばね部材８を備える。ここで、ＮＤフィルタ４は、光量調節部材として機能し、ＮＤフィルタ駆動部材７は、光量調節部材駆動部材として機能する。アクチュエータ１は、通電制御により回転軸１ａが正逆方向に回転駆動される。シャッタ羽根駆動部材２は、アクチュエータ１の径方向に長い矩形板状に形成され、長手方向の一端（基端）に形成された穴部２ａが回転軸１ａに嵌合固定されて、回転軸１ａの回転に連動して回動する。
【００１６】
また、シャッタ羽根駆動部材２の長手方向の他端（先端）には、回転軸１ａと平行な軸線を有する駆動軸２ｂが突設されている。駆動軸２ｂは、シャッタ地板３に形成された円弧状の穴部３ｃ、シャッタ羽根５に形成された長穴部５ｂ、シャッタ羽根６に形成された穴部６ｂ、及びＮＤフィルタ駆動部材７に形成された長穴部７ｃにそれぞれ挿通されて係合する。
【００１７】
シャッタ地板３は、例えば合成樹脂材料で形成され、中央部に露光用の開口部３ａを有する。シャッタ地板３には、シャッタ羽根６に形成された穴部６ａが回転可能に支持される軸部３ｂ、シャッタ羽根駆動部材２の駆動軸２ｂがスライド可能に係合する円弧状の穴部３ｃが形成される。
【００１８】
また、シャッタ地板３には、シャッタ羽根５に形成された穴部５ａが回転可能に支持される軸部３ｄ、ＮＤフィルタ４に形成された穴部４ａが回転可能に支持される軸部３ｅ、及びばね部材８の掛止部８ｂが掛止される軸部３ｆが形成される。軸部３ｆの周面には、ばね部材８の掛止部８ｂが掛止される溝部３ｋが形成されている。
【００１９】
更に、シャッタ地板３には、ハートカム溝３ｇが形成されている。図４はハートカム溝３ｇをシャッタ地板３の軸方向からみた図、図５（ａ）はハートカム溝３ｇの直線展開図である。
【００２０】
図４及び図５（ａ）に示すように、ハートカム溝３ｇは、光軸方向の高さが異なる３つの平面状のカム面３ｈ−１，３ｈ−２，３ｈ−３を有する。カム面３ｈ−１とカム面３ｈ−２との間に、カム面３ｈ−１が高く、カム面３ｈ−２が低くなる段差３ｉ−１が設けられる。
【００２１】
また、カム面３ｈ−２とカム面３ｈ−３との間には、カム面３ｈ−２が高く、カム面３ｈ−３が低くなる段差３ｉ−２が設けられる。従って、３つのカム面３ｈ−１，３ｈ−２，３ｈ−３のうち、カム面３ｈ−１が最も高い位置に配置され、カム面３ｈ−３が最も低い位置に配置されることになる。カム面３ｈ−３とカム面３ｈ−１とは、斜面状のカム面３ｊ及び段差３ｉ−３により接続される。
【００２２】
図１〜図３に戻って、ＮＤフィルタ４には、シャッタ地板３の軸部３ｅに回転可能に支持される穴部４ａと、ＮＤフィルタ駆動部材７に設けられたカム軸７ａがスライド可能に係合する長穴部４ｂとが形成される。そして、ＮＤフィルタ駆動部材７の駆動によりシャッタ地板３の開口部３ａに対してＮＤフィルタ４が開閉方向に回動することで、光量調整を行う。
【００２３】
シャッタ羽根５には、シャッタ地板３の軸部３ｄに回転可能に支持される穴部５ａと、シャッタ羽根駆動部材２の駆動軸２ｂがスライド可能に係合する長穴部５ｂとが形成されている。また、シャッタ羽根６には、シャッタ地板３の軸部３ｂに回転可能に支持される穴部６ａと、シャッタ羽根駆動部材２の駆動軸２ｂに係合する穴部６ｂとが形成されている。
【００２４】
そして、シャッタ羽根駆動部材２の回動動作によりシャッタ地板３の開口部３ａに対してシャッタ羽根５，６を開閉動作させることで、光量規制を行う。
【００２５】
ＮＤフィルタ駆動部材７は、矩形板状に形成され、シャッタ地板３のハートカム溝３ｇにカム係合するカム軸７ａと、カム軸７ａと反対方向に突出する軸部７ｂとを有する。軸部７ｂの周面には、ばね部材８の掛止部８ａが掛止される溝部７ｄが形成されている。また、ＮＤフィルタ駆動部材７には、シャッタ羽根駆動部材２の駆動軸２ｂがスライド可能に係合する長穴部７ｃが形成されている。ここで、長穴部７ｃは、本発明の係合部の一例に相当する。
【００２６】
ばね部材８は、本実施形態では、引っ張りコイルばねとされており、ＮＤフィルタ駆動部材７の軸部７ｂの溝部７ｄに掛止される掛止部８ａと、シャッタ地板３の軸部３ｆの溝部３ｋに掛止される掛止部８ｂとを有する。
【００２７】
ここで、図３を参照して、ばね部材８は、ＮＤフィルタ駆動部材７の軸部７ｂの溝部７ｄに対する掛止部８ａの掛止位置が、シャッタ地板３の軸部３ｆの溝部３ｋに対する掛止部８ａの掛止位置に比べてシャッタ地板３から光軸方向に離れるように傾斜して配置される。
【００２８】
これにより、ＮＤフィルタ駆動部材７は、ばね部材８により、ＮＤフィルタ４がシャッタ地板３の開口部３ａから退避する方向、及びカム軸７ａがシャッタ地板３のハートカム溝３ｇのカム面に当接する方向（光軸方向）に付勢される。
【００２９】
次に、ＮＤフィルタ４の開閉動作について説明する。図５（ｂ）はアクチュエータ１の駆動電圧のタイミングチャート図、図６〜図９はＮＤフィルタ４の開閉動作を説明するための図である。
【００３０】
まず、ＮＤフィルタ４の閉動作について説明する。図６に示すＮＤフィルタ４の開状態では、ＮＤフィルタ駆動部材７のカム軸７ａがハートカム溝３ｇのカム面３ｈ−１上（図４、図５（ａ））で、ばね部材８の付勢力によりハートカム溝３ｇの側壁３ｎ−１と側壁３ｎ−２に当接して停止している。
【００３１】
これにより、ＮＤフィルタ駆動部材７及びシャッタ羽根駆動部材２の光軸と直交する方向の移動が規制され、ＮＤフィルタ４とシャッタ羽根５，６が開状態で保持される。ここでのカム軸７ａの停止位置９ａは、本発明の第１の位置の一例に相当する。
【００３２】
次に、アクチュエータ１の正方向への通電をＯＮ（図５（ｂ）参照）にすると、回転軸１ａが図６の反時計回りに回転する。そして、この回転軸１ａの回転に連動してシャッタ羽根駆動部材２が同方向に回動し、シャッタ羽根駆動部材２に駆動軸２ｂを介して係合するＮＤフィルタ駆動部材７がばね部材８の付勢力に抗して移動する。
【００３３】
これにより、図４及び図５（ａ）を参照して、ＮＤフィルタ駆動部材７のカム軸７ａは、ハートカム溝３ｇのカム面３ｈ−１に沿って移動する。そして、カム軸７ａは、段差３ｉ−１を超えると、ばね部材８の光軸方向の付勢力によりカム面３ｈ−２の位置９ｂに光軸方向に当接し、図７に示す状態となる。ここで、位置９ｂは、本発明の第２の位置の一例に相当する。
【００３４】
次に、アクチュエータ１を非通電（図５（ｂ）参照）にすると、カム軸７ａは、ばね部材８の付勢力によりカム面３ｈ−２に沿って移動し、ハートカム溝３ｇの側壁３ｎ−３，３ｎ−４に当接して停止し、図８に示す状態となる。ここでのカム軸７ａの停止位置９ｃは、本発明の第３の位置の一例に相当する。
【００３５】
このように、ＮＤフィルタ４の長穴部４ｂに係合するカム軸７ａがハートカム溝３ｇの位置９ａから位置９ｂを経て位置９ｃまで移動することで、ＮＤフィルタ４は、シャッタ地板３の軸部３ｅに嵌合された穴部４ａを中心として時計回りに回転する。これにより、ＮＤフィルタ４は、開口部３ａに進入する。また、カム軸７ａが位置９ａから位置９ｃまで移動する際には、シャッタ羽根５，６は開口部３ａの外側で開閉動作する。
【００３６】
次に、ＮＤフィルタ４の開動作について説明する。ＮＤフィルタ４の閉状態では、ＮＤフィルタ駆動部材７のカム軸７ａは、ばね部材８の付勢力によりシャッタ地板３のハートカム溝３ｇの側壁３ｎ−３，３ｎ−４に当接して位置９ｃに保持されている。
【００３７】
この状態で、アクチュエータ１の正方向への通電をＯＮ（図５（ｂ）参照）にすると、シャッタ羽根駆動部材２が図８の反時計回りに移動して、シャッタ羽根駆動部材２に駆動軸２ｂを介して係合するＮＤフィルタ駆動部材７がばね部材８の付勢力に抗して移動する。
【００３８】
これにより、図４及び図５（ａ）を参照して、ＮＤフィルタ駆動部材７のカム軸７ａは、ハートカム溝３ｇのカム面３ｈ−２に沿って移動する。そして、カム軸７ａは、段差３ｉ−２を超えると、ばね部材８の光軸方向の付勢力によりカム面３ｈ−３の位置９ｄに光軸方向に当接し、図９に示す状態となる。ここで、位置９ｃは、本発明の第４の位置の一例に相当する。
【００３９】
次に、アクチュエータ１を非通電にすると、カム軸７ａは、ばね部材８の付勢力によりカム面３ｈ−３及び斜面状のカム面３ｊに沿って移動する。そして、カム軸７ａは、段差３ｉ−３を超えると、ばね部材８の光軸方向の付勢力によりカム面３ｈ−１の位置９ａで光軸方向に当接して停止し、図６に示す状態となる。
【００４０】
このとき、上述したように、カム軸７は、ばね部材８の付勢力によりハートカム溝３ｇの側壁３ｎ−１と側壁３ｎ−２に当接して保持される。
【００４１】
このように、ＮＤフィルタ４の長穴部４ｂに係合するカム軸７ａがハートカム溝３ｇの位置９ｃから位置９ｄを経て位置９ａまで移動することで、ＮＤフィルタ４は、シャッタ地板３の軸部３ｅに嵌合された穴部４ａを中心として反時計回りに回転する。これにより、ＮＤフィルタ４は、開口部３ａから退避する。また、カム軸７ａが位置９ｃから位置９ａまで移動する際には、シャッタ羽根５，６は開口部３ａの外側で開閉動作する。
【００４２】
次に、シャッタ羽根５，６が開口部３ａを開閉する動作について説明する。図１０〜図１３は、シャッタ羽根５，６が開口部３ａを開閉する動作を説明するための図である。
【００４３】
まず、ＮＤフィルタ４が開口部３ａから退避した状態でのシャッタ羽根５，６が開口部３ａを閉じる動作について説明する。図１０に示すシャッタ羽根５，６が開口部３ａを開いた状態で前記アクチュエータ１への逆方向の通電をＯＮにすると、回転軸１ａに連動してシャッタ羽根駆動部材２が時計回りに回転する。
【００４４】
ここで、上述したように、シャッタ羽根５，６の長穴部５ｂ及び穴部６ｂには、シャッタ羽根駆動部材２の駆動軸２ｂが係合している。従って、シャッタ羽根駆動部材２の時計回りの回転により、シャッタ羽根５，６が互いに閉じる方向に穴部５ａ，６ａを中心に回動して開口部３ａを閉じ、図１１に示す状態となる。
【００４５】
シャッタ羽根５，６が開口部３ａを閉じる動作を行う際には、ばね部材８による光軸方向の付勢力によりカム軸７ａがハートカム溝３ｇにカム面３ｈ−１の位置９ａに保持された状態でカム軸７ａを中心にＮＤフィルタ駆動部材７が反時計回りに回動する。従って、シャッタ羽根５，６が開口部３ａを閉じる動作を行う際には、ＮＤフィルタ４は、開口部３ａに対して進退動作を行わない。
【００４６】
次に、シャッタ羽根５，６が開口部３ａを開く動作について説明する。図１１の状態でアクチュエータ１への正方向の通電をＯＮにし、かつ、アクチュエータ１の駆動力がばね部材８の付勢力より弱くなるように電流または電圧を制御する。
【００４７】
これにより、カム軸７ａがハートカム溝３ｇにカム面３ｈ−１の位置９ａに保持された状態、すなわちＮＤフィルタ４が開口部３ａから退避した状態で、ＮＤフィルタ駆動部材７の長穴部７ｃに係合するシャッタ羽根駆動部材２の駆動軸２ｂが反時計回りに回動する。この結果、シャッタ羽根駆動部材２の駆動軸２ｂに係合するシャッタ羽根５，６が互いに開く方向に穴部５ａ，６ａを中心に回動して開口部３ａを開き、図１０に示す状態となる。
【００４８】
その後、アクチュエータ１を非通電にすることで、シャッタ羽根５，６は、長穴部７ｃに駆動軸２ｂが係合することでＮＤフィルタ駆動部材７にシャッタ羽根駆動部材２が保持されて開口部３ａを開いた状態に維持される。なお、ＮＤフィルタ４が開口部３ａに進入した状態でのシャッタ羽根５，６の開（図１２）から閉（図１３）への動作、及び閉から開への動作も上記と同様である。
【００４９】
以上説明したように、本実施形態では、シャッタ羽根５，６とＮＤフィルタ４を共通のアクチュエータ１で動作させ、ＮＤフィルタ４の進退動作時にシャッタ羽根５，６の開閉動作で開口部３ａからの入射光量を途絶えさせることのない光量調整装置を提供できる。本実施形態では、ＮＤフィルタ４を駆動する例を説明したが、ＮＤフィルタ４に代えて、ターレット絞り板を駆動しても同様の作用効果を奏することができる。
【００５０】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００５１】
１  アクチュエータ
２  シャッタ羽根駆動部材
３  シャッタ地板
３ａ  開口部
３ｇ  ハートカム溝
４  ＮＤフィルタ
５，６  シャッタ羽根
７  ＮＤフィルタ駆動部材
７ａ  カム軸
８  ばね部材
【図１】
2012255991.tif 000003
【図２】
2012255991.tif 000004
【図３】
2012255991.tif 000005
【図４】
2012255991.tif 000006
【図５】
2012255991.tif 000007
【図６】
2012255991.tif 000008
【図７】
2012255991.tif 000009
【図８】
2012255991.tif 000010
【図９】
2012255991.tif 000011
【図１０】
2012255991.tif 000012
【図１１】
2012255991.tif 000013
【図１２】
2012255991.tif 000014
【図１３】
2012255991.tif 000015
【図１４】
2012255991.tif 000016